(57)【要約】  サーバが提供するアイテムリストに基づいてクライアント端末が配信情報を取得して表示する情報配信表示システムであって、サーバは、配信情報を特定する特定情報と配信情報の属性情報とが対応付けられたアイテムリストを格納するアイテムリスト格納手段を有し、クライアント端末は、アイテムリスト格納手段に格納されているアイテムリストを取得するアイテムリスト取得手段と、アイテムリスト取得手段によって取得されたアイテムリストに基づいて配信情報を取得する配信情報取得手段と、アイテムリスト取得手段によって取得されたアイテムリストから、配信情報を表示する時間帯と時間帯に表示すべき配信情報を特定する特定情報とが対応付けられた表示リストを生成する表示リスト生成手段と、表示リスト生成手段によって生成された表示リストに基づいて時間帯ごとに配信情報を表示する配信情報表示手段とを備えることを特徴とする情報配信表示システム。
2007123063.tif 000002
【特許請求の範囲】
【請求項１】
サーバが提供するアイテムリストに基づいてクライアント端末が配信情報を取得して表示する情報配信表示システムであって、
前記サーバは、
前記配信情報を特定する特定情報と前記配信情報の属性情報とが対応付けられたアイテムリストを格納するアイテムリスト格納手段を備え、
前記クライアント端末は、
前記アイテムリスト格納手段に格納されているアイテムリストを取得するアイテムリスト取得手段と、
前記アイテムリスト取得手段によって取得されたアイテムリストに基づいて前記配信情報を取得する配信情報取得手段と、
前記アイテムリスト取得手段によって取得された前記アイテムリストから、前記配信情報を表示する時間帯と前記時間帯に表示すべき配信情報を特定する特定情報とが対応付けられた表示リストを生成する表示リスト生成手段と、
前記表示リスト生成手段によって生成された表示リストに基づいて前記時間帯ごとに配信情報を表示する配信情報表示手段と
を備えることを特徴とする情報配信表示システム。
【請求項２】
前記サーバは情報配信用サーバであり、
前記アイテムリストは前記特定情報として前記配信情報の少なくとも一部を含むことを特徴とする請求項１に記載の情報配信表示システム。
【請求項３】
前記サーバの提供するアイテムリストに含まれる前記特定情報の一部は対応する前記配信情報の一部が保存されている場所を示すロケーション情報であり、前記配信情報取得手段は該ロケーション情報の示す場所にアクセスして前記対応する配信情報の一部を取得することを特徴とする請求項２に記載の情報配信表示システム。
【請求項４】
前記サーバの提供するアイテムリストに含まれる前記特定情報は対応する配信情報が保存されている場所を示すロケーション情報であり、前記配信情報取得手段は該ロケーション情報の示す場所にアクセスして前記対応する配信情報を取得することを特徴とする請求項１に記載の情報配信表示システム。
【請求項５】
前記配信情報は異なる場所に保存されている複数の情報からなり、前記特定情報は前記複数の情報の保存されている場所をそれぞれ示す複数のロケーション情報を含むことを特徴とする請求項４に記載の情報配信表示システム。
【請求項６】
前記配信情報は単一の前記ロケーション情報によって特定される一つ以上の情報からなることを特徴とする請求項４に記載の情報配信表示システム。
【請求項７】
サーバの配信する配信情報をクライアント端末が取得して表示する情報配信表示システムであって、
前記サーバは、
前記クライアント端末に前記配信情報を配信する配信手段と、
前記配信情報を特定する特定情報と前記配信情報の属性情報とが対応付けられたアイテムリストを格納するアイテムリスト格納手段とを備え、
前記クライアント端末は、
前記配信情報を取得する配信情報取得手段と、
前記アイテムリスト格納手段に格納されているアイテムリストを取得するアイテムリスト取得手段と、
前記アイテムリスト取得手段によって取得されたアイテムリストから、前記配信情報の所定項目の属性情報と配信情報を特定する特定情報とが対応付けられた属性リストを生成する属性リスト生成手段と、
前記クライアント端末のユーザが属性情報を指定する属性情報指定手段と、
前記属性リスト生成手段によって生成された属性リストに基づいて、前記属性情報指定手段によってユーザが指定した属性情報と対応付けられている特定情報を選択する選択手段と、
前記選択手段によって選択された特定情報に基づいて配信情報を表示する配信情報表示手段を備えることを特徴とする情報配信表示システム。
【請求項８】
前記クライアント端末は、
前記アイテムリスト取得手段によって取得されたアイテムリストから配信情報の所定項目の属性情報と配信情報を特定する特定情報とが対応付けられた属性リストを生成する属性リスト生成手段と、
前記クライアント端末のユーザが属性情報を指定するための属性情報指定手段と、
前記属性リスト生成手段によって生成された属性リストに基づいて、前記属性情報指定手段によって前記ユーザが指定した属性情報と対応付けられている特定情報を選択する選択手段とを更に備え、
前記表示リスト生成手段は、前記アイテムリスト取得手段によって取得されたアイテムリストから配信情報を表示する時間帯と、前記時間帯に表示すべき配信情報の特定情報であって前記選択手段によって選択された特定情報とが対応付けられた表示リストとを生成することを特徴とする請求項１に記載の情報配信表示システム。
【請求項９】
前記クライアント端末は放送番組を受信する放送番組受信手段を更に備えることを特徴とする請求項１又は７に記載の情報配信表示システム。
【請求項１０】
前記クライアント端末は、
放送番組を受信する放送番組受信手段と、
前記放送番組の属性情報を取得する番組属性情報取得手段と、
前記アイテムリスト取得手段によって取得されたアイテムリストから配信情報の所定項目の属性情報と配信情報を特定する特定情報とが対応付けられた属性リストを生成する属性リスト生成手段と、
前記属性リスト生成手段によって生成された属性リストに基づいて、前記番組属性情報取得手段によって取得された属性情報と対応付けられている特定情報を選択する選択手段とを更に備え、
前記表示リスト生成手段は、前記アイテムリスト取得手段によって取得されたアイテムリストから配信情報を表示する時間帯と前記時間帯に表示すべき前記選択手段によって選択された特定情報とが対応付けられた表示リストを生成することを特徴とする請求項１に記載の情報配信表示システム。
【請求項１１】
前記アイテムリスト取得手段はウェブサイトの要約情報を配信するフォーマットで前記アイテムリスト格納手段からアイテムリストを取得することを特徴とする請求項１又は７に記載の情報配信表示システム。
【請求項１２】
前記情報配信表示システムは、前記クライアント端末に対し配信する情報を提供する情報提供者端末を更に有し、
前記情報配信サーバは、前記情報提供者端末から提供される情報の受信処理を行う情報受信手段を更に備え、前記情報受信手段から受信した情報に基づいてアイテムリストを生成することを特徴とする請求項１又は７に記載の情報配信表示システム。
【請求項１３】
前記配信情報は、主要コンテンツが表示される領域の近傍領域に表示されることを特徴とする請求項１又は７に記載の情報配信表示システム。
【請求項１４】
前記配信情報は、アイコンとして表示されることを特徴とする請求項１３記載の情報配信表示システム。
【請求項１５】
配信情報を特定する特定情報と前記配信情報の属性情報とが対応付けられたアイテムリストが格納されているサーバから配信される配信情報を取得するクライアント端末であって、
前記アイテムリスト格納手段に格納されているアイテムリストを取得するアイテムリスト取得手段と、
前記配信情報を取得する配信情報取得手段と、
前記アイテムリスト取得手段によって取得された前記アイテムリストから配信情報を表示する時間帯と前記時間帯に表示すべき配信情報を特定する特定情報とが対応付けられた表示リストを生成する表示リスト生成手段と、
前記表示リスト生成手段によって生成された表示リストに基づいて前記時間帯ごとに配信情報を表示するための表示データを生成する配信情報表示データ生成手段を備えることを特徴とするクライアント端末。
【請求項１６】
配信情報を特定する特定情報と前記配信情報の属性情報とが対応付けられたアイテムリストが格納されているサーバからの配信情報を取得するクライアント端末であって、
前記アイテムリスト格納手段に格納されているアイテムリストを取得するアイテムリスト取得手段と、
前記配信情報を取得する配信情報取得手段と、
前記アイテムリスト取得手段によって取得されたアイテムリストから配信情報の所定項目の属性情報と配信情報を特定する特定情報とが対応付けられた属性リストを生成する属性リスト生成手段と、
前記クライアント端末のユーザが属性情報を指定する属性情報指定手段と、
前記属性リスト生成手段によって生成された属性リストに基づいて、前記属性情報指定手段によってユーザが指定した属性情報と対応付けられている特定情報を選択する選択手段と、
前記選択手段によって選択された特定情報に基づいて前記配信情報を表示するための表示データを生成する配信情報表示データ生成手段を備えることを特徴とするクライアント端末。
【請求項１７】
前記アイテムリスト取得手段によって取得されたアイテムリストから配信情報の所定項目の属性情報と配信情報を特定する特定情報とが対応付けられた属性リストを生成する属性リスト生成手段と、
前記クライアント端末のユーザが属性情報を指定する属性情報指定手段と、
前記属性リスト生成手段によって生成された属性リストに基づいて、前記属性指定手段によってユーザが指定した属性情報と対応付けられている特定情報を選択する選択手段とを更に備え、
前記表示リスト生成手段は、前記アイテムリスト取得手段によって取得されたアイテムリストから配信情報を表示する時間帯と前記時間帯に表示すべき配信情報の特定情報であって、かつ、前記選択手段によって選択された特定情報とが対応付けられた表示リストを生成することを特徴とする請求項１５に記載のクライアント端末。
【請求項１８】
前記クライアント端末は放送番組を受信する放送番組受信手段を備えることを特徴とする請求項１１に記載のクライアント端末。
【請求項１９】
放送番組を受信する放送番組受信手段と、
前記放送番組の属性情報を取得する番組属性情報取得手段と、
前記アイテムリスト取得手段によって取得されたアイテムリストから配信情報の所定項目の属性情報と配信情報を特定する特定情報とが対応付けられた属性リストを生成する属性リスト生成手段と、
前記属性リスト生成手段によって生成された属性リストに基づいて、前記番組属性情報取得手段によって取得された属性情報と対応付けられている特定情報を選択する選択手段とを更に備え、
前記表示リスト生成手段は、前記アイテムリスト取得手段によって取得されたアイテムリストから配信情報を表示する時間帯と前記時間帯に表示すべき前記選択手段によって選択された特定情報とが対応付けられた表示リストを生成することを特徴とする請求項１５に記載のクライアント端末。
【請求項２０】
前記アイテムリスト取得手段はウェブサイトの要約情報を配信するフォーマットで前記アイテムリスト格納手段からアイテムリストを取得することを特徴とする請求項１５又は１６に記載のクライアント端末。
【請求項２１】
前記配信情報表示データ生成手段によって生成された配信情報表示データに基づいて前記配信情報を表示する配信情報表示手段を更に備えることを特徴とする請求項１５又は１６に記載のクライアント端末。
【請求項２２】
前記配信情報は主要コンテンツが表示される領域の近傍領域に表示されることを特徴とする請求項２１に記載のクライアント端末。
【請求項２３】
前記配信情報はアイコンとして表示されることを特徴とする請求項２２記載のクライアント端末。
【発明の詳細な説明】
【技術分野】
【０００１】
本発明は、テレビなどの表示画面に配信情報を表示するシステムに関する。
【背景技術】
【０００２】
テレビなどの放送番組に対応のホームページが設けられていたり、あるいは、コマーシャルを提供する会社などが独自にホームページを開設したりしている。したがって、番組やコマーシャルに興味をもった視聴者は、放送番組名や会社名から検索するか、又は、放送中に表示等されたＵＲＬ（Ｕｎｉｆｏｒｍ  Ｒｅｓｏｕｒｃｅ  Ｌｏｃａｔｏｒ）をメモしてそのＵＲＬを入力することで、所望のホームページを閲覧していた。【０００３】
また、日本国特許第３１６７１０９号公報では、放送視聴中に視聴者に対して情報を提供する方法として、放送番組とその放送番組に関連するホームページとを画面上に表示させることが開示されている。【０００４】
スポンサー等の情報提供者にとっては、提供する情報が放送番組に関連が無くとも、放送番組を見ている視聴者に対して情報を有効に発信することが重要である。しかし、ホームページなどを画面上に表示させる場合には、視聴者に対して画一的に情報が表示されることになる。【０００５】
上述したように、従来、放送番組の視聴中に視聴者に対して情報を提供する場合には、関連するホームページが表示されていたが、視聴者に対して画一的に情報が表示されるため、有効に情報を提供できないという問題があった。
【発明の開示】
【０００６】
本発明はこのような問題を解決するためになされたものであり、視聴者の状況に応じて有効に情報を提供できる情報配信表示システムを提供することを目的とする。
【０００７】
本発明の実施形態により、サーバが提供するアイテムリストに基づいてクライアント端末が配信情報取得して表示する情報配信表示システムであって、サーバは、配信情報を特定する特定情報と配信情報の属性情報とが対応付けられたアイテムリストを格納するアイテムリスト格納手段を備え、クライアント端末は、アイテムリスト格納手段に格納されているアイテムリストを取得するアイテムリスト取得手段と、アイテムリスト取得手段によって取得されたアイテムリストに基づいて配信情報を取得する配信情報取得手段と、アイテムリスト取得手段によって取得されたアイテムリストから、配信情報を表示する時間帯と時間帯に表示すべき配信情報を特定する特定情報とが対応付けられた表示リストを生成する表示リスト生成手段と、表示リスト生成手段によって生成された表示リストに基づいて時間帯ごとに配信情報を表示する配信情報表示手段とを備える情報配信表示システムが提供される。
【０００８】
また、本発明の実施形態により、サーバの配信する配信情報をクライアント端末が取得して表示する情報配信表示システムであって、サーバは、クライアント端末に配信情報を配信する配信手段と、配信情報を特定する特定情報と配信情報の属性情報とが対応付けられたアイテムリストを格納するアイテムリスト格納手段を有し、クライアント端末は、配信情報を取得する配信情報取得手段と、アイテムリスト格納手段に格納されているアイテムリストを取得するアイテムリスト取得手段と、アイテムリスト取得手段によって取得されたアイテムリストから、配信情報の所定項目の属性情報と配信情報を特定する特定情報とが対応付けられた属性リストを生成する属性リスト生成手段と、クライアント端末のユーザが属性情報を指定する属性情報指定手段と、属性リスト生成手段によって生成された属性リストに基づいて、属性情報指定手段によってユーザが指定した属性情報と対応付けられている特定情報を選択する選択手段と、選択手段によって選択された特定情報に基づいて表示すべき配信情報を表示する配信情報表示手段とを備える情報配信表示システムが提供される。
【０００９】
また、本発明の実施形態により、配信情報を特定する特定情報と配信情報の属性情報とが対応付けられたアイテムリストが格納されているサーバからの配信情報を取得するクライアント端末であって、アイテムリスト格納手段に格納されているアイテムリストを取得するアイテムリスト取得手段と、配信情報を取得する配信情報取得手段と、アイテムリスト取得手段によって取得されたアイテムリストから配信情報を表示する時間帯と時間帯に表示すべき配信情報を特定する特定情報とが対応付けられた表示リストを生成する表示リスト生成手段と、表示リスト生成手段によって生成された表示リストに基づいて時間帯ごとに配信情報を表示するための表示データを生成する配信情報表示データ生成手段とを備えるクライアント端末が提供される。
【００１０】
また、本発明の実施形態により、配信情報を特定する特定情報と配信情報の属性情報とが対応付けられたアイテムリストが格納されているサーバからの配信情報を取得するクライアント端末であって、アイテムリスト格納手段に格納されているアイテムリストを取得するアイテムリスト取得手段と、配信情報を取得する配信情報取得手段と、アイテムリスト取得手段によって取得されたアイテムリストから配信情報の所定項目の属性情報と配信情報を特定する特定情報とが対応付けられた属性リストを生成する属性リスト生成手段と、クライアント端末のユーザが属性情報を指定する属性情報指定手段と、属性リスト生成手段によって生成された属性リストに基づいて、属性情報指定手段によってユーザが指定した属性情報と対応付けられている特定情報を選択する選択手段と、選択手段によって選択された特定情報に基づいて配信情報を表示するための表示データを生成する配信情報表示データ生成手段とを備えるクライアント端末が提供される。
【図面の簡単な説明】
【００１１】
【図１】本発明の一実施形態による情報配信表示システムの構成を示す図である。
【図２】セットトップボックスのハードウェア構成を示す図である。
【図３】情報配信サーバの動作を示すフローチャートである。
【図４】配信用リストの構造を示すである。
【図５】クライアントのセットトップボックスのリスト生成処理を示すフローチャートである。
【図６】表示リストのデータ構造を示す図である。
【図７】クライアント側のテレビ画面に配信情報を表示する画面表示処理を示すフローチャートである。
【図８】クライアント側のテレビのモニタの画面表示を示す図である。
【図９】フィルタリング処理を行うためにクライアント側で作成するカテゴリーリストを示す図である。
【図１０】図５に追加してカテゴリーリストの作成の処理を示すフローチャートである。
【図１１】図７に追加して上述のフィルタリング処理を行う動作を示すフローチャートである。
【図１２】図７に追加して受信している放送番組と関連している配信情報を表示するフローチャートである。
【図１３】本発明の他の実施形態のクライアント側の構成を示す図である。
【図１４】テレビの横に配信情報表示装置を設置した場合の画面の様子を示す図である。
【図１５】本発明の更に他の実施形態である配信情報表示機能付きリモコン装置の外観を示す図である。
【符号の説明】
【００１２】
１０  インターネット
１００  放送局
２００  情報配信サーバ
２１０  データベース
３００  クライアント
３１０  テレビ
３１０ａ  テレビ
３１１  受信回路
３１２  表示回路
３１３  モニタ
３１４  ユーザインターフェイス
３２０  セットトップボックス
３２０ａ  配信情報表示装置
３２１、３２１ａ  ＲＳＳマネージャ
３２２  データベース
３２３  ウェブブラウザ
３２６  表示部
３２７  ディスプレイ
３２８  電源部
４００  情報提供者端末
５００  情報表示機能付きリモコン装置
５１０  画面
５２０  電源スイッチ
Ｓ１、Ｓ２、Ｓ２２、Ｓ２３  画面
【発明を実施するための最良の形態】
【００１３】
以下、本発明の実施形態を図面に基づいて説明する。【００１４】
図１は、本発明の一実施形態による情報配信表示システムの構成を示す図である。図１において、１００は、所定の周波数の電波を搬送波として映像、音声、データ等を変調して送信する放送局を示している。【００１５】
情報配信サーバ２００は、インターネット１０に接続されており、クライアント側に情報を配信する。データベース２１０には、配信情報が格納される。なお、情報配信サーバ２００は配信すべき情報をＲＳＳ（ＲＤＦ（Ｒｅｓｏｕｒｃｅ  Ｄｅｓｃｒｉｐｔｉｏｎ  Ｆｒａｍｅｗｏｒｋ）Ｓｉｔｅ  Ｓｕｍｍａｒｙ）フィードとして配信する。【００１６】
クライアント３００は、放送局１００からの放送を受信するためのテレビ３１０と、テレビ３１０に付加してインターネットを介してＲＳＳフィード及びウェブコンテンツを受信する機能等を有するセットトップボックス３２０とから構成される。テレビ３１０とセットトップボックス３２０とは相互に接続されている。【００１７】
情報提供者端末４００は、情報配信サーバ２００に配信させたい情報を登録するための端末であり、所定のフォームに情報を入力して情報配信サーバ２００に送信することにより配信情報の登録が行われる。【００１８】
テレビ３１０は、放送局１００から放送される放送信号を受信する受信回路３１１と、受信回路３１１によって受信された放送信号から映像信号を分離して画面表示する信号を作り出すとともに放送信号に含まれている天気予報やニュースなどの文字情報を画面表示する表示回路３１２と、表示回路３１２から出力される映像信号を表示するモニタ３１３と、ユーザが表示画面上の指示に従って入力操作を行うためのユーザインターフェイス３１４と、セットトップボックス３２０との間で電気信号の送受信を行うためのインターフェイス３１５とを有している。【００１９】
セットトップボックス３２０は、情報配信サーバ２００からＲＳＳのフォーマットで配信されてきた情報の処理を行うＲＳＳマネージャ３２１と、ＲＳＳマネージャ３２１によって処理されたデータを格納するデータベース３２２と、配信された情報の表示画面をユーザがクリックした場合に対応するホームページを表示するウェブブラウザ３２３とを有している。また、３２４は、テレビ３１０との間で電気信号の送受信をするためのインターフェイスであり、３２５は、インターネットに接続するためのアダプターである。【００２０】
なお、図１では、セットトップボックス３２０内には、機能的な構成が記載されている。セットトップボックス３２０のハードウェアは、図２に示されるように、ＲＯＭ（Ｒｅａｄ  Ｏｎｌｙ  Ｍｅｍｏｒｙ）１１、ＨＤ（Ｈａｒｄ  Ｄｉｓｋ）１２、ＲＡＭ（Ｒａｎｄｏｍ  Ａｃｃｅｓｓ  Ｍｅｍｏｒｙ）１３及びＣＰＵ（Ｃｅｎｔｒａｌ  Ｐｒｏｃｅｓｓｉｎｇ  Ｕｎｉｔ）１４から構成される。ＲＯＭ１１にはブートプログラムなどが格納される。ＨＤ１２には、ＲＳＳマネージャ３２１や、ＨＴＭＬ（Ｈｙｐｅｒｔｅｘｔ  Ｍａｒｋｕｐ  Ｌａｎｇｕａｇｅ）で記載されたウェブ上のコンテンツを閲覧するためのウェブブラウザ３２３などのプログラムが格納される。また、ＨＤ１２にはＲＳＳ及びウェブコンテンツのデータベースが構成される。ＲＡＭ１３は、プログラム動作時にワークエリア等として用いられ、ＣＰＵ１４はＲＡＭ１３上に展開されたプログラムを実行する。また、ＲＯＭ１１、ＨＤ１２、ＲＡＭ１３、ＣＰＵ１４は、それぞれ、バス１５を介して相互に電気的に接続されている。そしてウェブブラウザ３２３とＲＳＳマネージャ３２１は、起動時にＨＤ１２から読み出され、ＲＡＭ１３上にロードされて実行される。なお、ウェブブラウザ３２３及びＲＳＳマネージャ３２１は、ＨＤではなくＲＯＭ１１に格納されていてもよい。【００２１】
更に、インターネット接続の機能を有するセットトップボックス３２０をテレビ３１０に付加して実現している構成としているが、テレビ３１０の中にセットトップボックス３２０の機能を内蔵するようにしても良い。【００２２】
図３は、情報配信サーバの動作を示すフローチャートである。図３に示されるように、まず、情報提供者端末４００から送られてくる配信用データを受信する（ＳＴ３０１）。そして、受信した配信用データをデータベース２１０に蓄積する（ＳＴ３０２）。次に、現在時刻を取得する（ＳＴ３０３）。配信用アイテムリストの前回の更新から１５分が経過していない場合には（ＳＴ３０４：ＮＯ）、ＳＴ３０１に戻る。配信用アイテムリストの前回の更新から１５分が経過している場合には（ＳＴ３０４：ＹＥＳ）、配信用アイテムリストを更新する（ＳＴ３０５）。この配信用アイテムリストは、配信情報を特定するＩＤと、配信情報に関する様々な属性情報とが関連付けられて記録されたデータである。配信用アイテムリストの詳細は後述する。【００２３】
なお、図１には情報提供者端末４００は１つしか記載されていないが、通常は複数の情報提供者がおり、複数の情報提供者端末４００からの情報が情報配信サーバ２００のデータベース２１０に蓄積され、１５分間隔で配信用アイテムリストが更新されることになる。この実施形態では１５分間隔としたが、この時間間隔に限られることはなく、任意の時間間隔とすることも可能である。このように所定間隔で配信用アイテムリストを更新するのではなく、情報提供者端末４００からの配信用データを受信するたびに配信用アイテムリストを更新するようにしてもよい。【００２４】
図４は、配信用アイテムリストの構造を示す図である。配信用アイテムリストにおいて、配信情報を特定する各配信情報ＩＤ（「ＩＤ」）に対して「Ｔｉｔｌｅ」、「Ｃａｔｅｇｏｒｙ」、「Ｋｅｙｗｏｒｄ」、「Ｄｅｓｃｒｉｐｔｉｏｎ」、「ｒｉｇｈｔｓ」、「ｂａｎｎｅｒ」、「ｅｘｐｉｒｅ」、「ＶｉｅｗＴｉｍｅ」の各項目が関連付けられている。配信情報ＩＤは、情報毎にユニークに割り当てられる。また、「Ｔｉｔｌｅ」は提供する情報のタイトルであり、１０文字程度のものである。「Ｃａｔｅｇｏｒｙ」は、情報の分類を示すものである。「Ｋｅｙｗｏｒｄ」は提供する情報の検索キーワードであり、複数登録可能である。「ｒｉｇｈｔｓ」は提供する情報の所有権者等を示しており、例えば、個人名、団体名などが記載される。「Ｄｅｓｃｒｉｐｔｉｏｎ」は提供する情報の要約説明であり、４０文字程度で記載される。「ｂａｎｎｅｒ」は、提供される情報である画像情報である。「ｅｘｐｉｒｅ」は、提供する情報の有効期限を示すものであり、この有効期間が経過した情報は、情報配信サーバ２００によって順次削除される。「ＶｉｅｗＴｉｍｅ」は情報を表示する時間帯を指定するものである。「ＳＴ」は表示の開始時刻であり、「ＥＴ」は表示の終了時刻である。【００２５】
尚、配信用アイテムリストの「ＩＤ」、「ＶｉｅｗＴｉｍｅ」、「ｅｘｐｉｒｅ」以外の項目については、情報の内容が登録される代わりに、その項目の情報が保存されているリンク先（ＵＲＬ）が指定されていてもよい。このリンク先（ＵＲＬ）は項目毎に異なっていてもよいし、１つのリンク先（ＵＲＬ）に必要な全ての項目の内容がまとめて保存されていてもよい。【００２６】
配信用アイテムリストは、データベース２１０に蓄積されているデータの中から、現在時刻から１．５時間後までの時間帯に「ＶｉｅｗＴｉｍｅ」を有するデータを抽出することにより作成される。これは、配信用アイテムリストは１５分間隔で更新されるが、クライアントは１時間毎にしか配信用アイテムリストを取得しないためである。クライアントの配信用アイテムリストの取得については詳細に後述する。なお、アイテムリストは現在時刻から１．５時間後までの時間帯に「ＶｉｅｗＴｉｍｅ」を有する配信情報を抽出するようにしたが他の時間帯とすることも可能である。【００２７】
図５は、クライアント３００のセットトップボックス３２０の表示リスト生成処理を示すフローチャートである。まず、現在時刻を取得し（ＳＴ５０１）、前回に配信用アイテムリストを取得してから１時間経過していない場合には（ＳＴ５０２：ＮＯ）、ＳＴ５０１に戻る。一方、前回に配信用アイテムリストを取得してから１時間を経過した場合には（ＳＴ５０２：ＹＥＳ）、配信用アイテムリストを取得し、データベース３２２に保存する（ＳＴ５０３）。次に、取得された配信用アイテムリストから時間帯ごとに表示する配信情報のＩＤと表示の順番のデータのテーブルである表示リストを生成する（ＳＴ５０４）。そして、生成された表示リストと保存されている表示リストとをマージして（ＳＴ５０５）、マージされた表示リストをデータベース３２２に保存する（ＳＴ５０６）。なお、この実施形態では、１時間ごとに表示リストの生成処理をしているが、別の時間間隔で実行することも可能である。【００２８】
図６は、表示リストのデータ構造を示す図である。図６に示されるように、１５分間隔の時間帯ごとに配信情報のＩＤに表示の順位がつけられている。例えば、２０時００分００秒から２０時１５分００秒までの時間帯では、配信情報ＩＤが０８５９、０９７３、・・・が順位１から割り当てられている。この表示リストは、配信用アイテムリストの「ＩＤ」と「ＶｉｅｗＴｉｍｅ」とから作成される。【００２９】
図７は、クライアント３００側のテレビ画面に配信情報を表示する画面表示処理を示すフローチャートである。また、図８は、クライアント３００側のテレビ３１０のモニタ３１３の画面表示を示す図である。図８に示されるように、モニタ３１３の画面は、配信情報を表示するモードの場合には、番組等を表示する画面Ｓ１と配信情報等を表示する画面Ｓ２に分割される。画面Ｓ２は、更に、リアルタイムに配信情報を表示するための画面Ｓ２２と、格納されている配信情報を検索するための画面Ｓ２３に分割されている。そして、画面Ｓ２２には同時に３つの配信情報を表示する枠が設けられている。【００３０】
図７に示されるように、まず、ＲＳＳマネージャ３２１は、現在時刻を取得し（ＳＴ７０１）、取得した現在時刻が前回の表示の更新から３０秒経過していない場合には（ＳＴ７０２：ＮＯ）、ＳＴ７０１に戻り、経過している場合には（ＳＴ７０２：ＹＥＳ）、表示リストの現在時刻が属する時間帯の配信情報ＩＤをＩＤの順位とともに抽出する（ＳＴ７０３）。そして、配信情報ＩＤの順位に基づいて表示する配信情報を決定する（ＳＴ７０４）。例えば、表示リストの時間帯に配信情報ＩＤが３つ以下である場合にはすべての情報を画面Ｓ２２に全て表示できるが、配信情報ＩＤが４つ以上である場合には、配信情報ＩＤの順位に従って、３個ずつ順番に表示するように配信情報ＩＤを決定する。そして、表示が決定された配信情報ＩＤに対応する表示用の情報を配信用アイテムリストから取得する。尚、配信用アイテムリストに情報の内容が登録される代わりに該情報が保存されているリンク先（ＵＲＬ）が指定されている場合には、該ＵＲＬにアクセスして、配信情報をダウンロードして取得する（ＳＴ７０５）。そして、取得された配信情報を画面Ｓ２２の３つの表示領域のうち配信情報ＩＤの順位に基づいた位置に表示する（ＳＴ７０６）。そして、ＳＴ７０１に戻り、上述の処理を繰り返す。なお、この実施形態では、配信情報の表示処理を３０秒ごとにしているが、これ以外の時間間隔とすることも可能である。【００３１】
なお、ＲＳＳマネージャ３２１は、ＳＴ７０６において取得された配信情報の画像を配信情報ＩＤの順位にもとづいた位置に表示するための表示データを生成し、この表示データをテレビ３１０の表示回路３１２に送る。表示回路３１２では、送られてきた表示データに基づいてモニタ３１３に配信情報を表示する。【００３２】
また、配信情報はテキスト情報に限られず、表示画面のテレビ放送などの主要コンテンツが表示される画面の周りにアイコンとして表示されてもよい。図８では画面の右端に配信情報の表示領域を設けたが、画面の上部に帯状に表示領域を設けて配信情報をアイコンとして表示するようにしても良い。【００３３】
なお、ＳＴ７０５において、図４に示される配信用のアイテムリストの「ｂａｎｎｅｒ」の欄にＵＲＬではなく、画像情報そのものを送るように構成する場合には、ＵＲＬにアクセスすることなしに配信情報ＩＤに対応する画像情報を抽出するようにしても良い。【００３４】
以上の実施形態においては、クライアント３００側では配信されてくる情報を時間帯に応じてそのまま表示するようにしているが、クライアント３００側で配信情報を選択するようにフィルタリング処理を行うようにしても良い。【００３５】
図９は、このようなフィルタリング処理を行うためにクライアント３００側で作成するカテゴリーリストである。図９に示されるように、「テレビ」、「洋服」、「車」、「楽器」などのカテゴリーと、そのカテゴリーに対応する配信情報ＩＤが関連付けられているリストである。【００３６】
図１０は、図５に示されるＳＴＢにおける、表示リスト生成処理のフローチャートに追加されるカテゴリーリストの作成処理を示すフローチャートである。図１０に示されるＳＴ１００１は、例えば、ＳＴ５０６の後に追加されて処理が行われる。すなわち、ＳＴ５０６の処理が終了した後、セットトップボックス３２０は、取得された配信用アイテムリストの「Ｃａｔｅｇｏｒｙ」の内容と配信情報ＩＤとを抽出し、図９に示されるカテゴリーリストを作成する。【００３７】
なお、カテゴリーリストを用いて図１０の画面Ｓ２３で関連情報の検索を行うことができる。すなわち、カテゴリーリストをデータベース３２２に格納し、画面Ｓ２３で例えば「テレビ」というカテゴリーを入力すると「テレビ」というカテゴリーに対応するＩＤを特定し、このＩＤからデータベース３２２又はインターネットのウェブサイト上から情報を入手することができる。【００３８】
図１１は、図７に示される配信情報の画面表示処理に追加して、上述のフィルタリング処理を行う動作を示すフローチャートである。図１１に示されるＳＴ１１０１は、図７に示されるＳＴ７０３とＳＴ７０４の間に追加される。なお、ユーザは、配信情報の表示処理が行われる前に、自分が表示させたいカテゴリーを選択しておく。その後、配信情報の表示処理が行われると、現在時刻が属する時間帯のＩＤを抽出したのち（ＳＴ７０３）、このＩＤの中から、図９に示されるカテゴリーリストを用い、ユーザが選択したカテゴリーに一致する配信情報ＩＤに含まれているものを選択するフィルタリング処理を行う（ＳＴ１１０１）。そしてフィルタリング処理を行った後のＩＤについて、ＩＤの順位に基づいて表示する配信情報を決定する（ＳＴ７０４）。このように処理することで、ユーザが選択するカテゴリーの配信情報のみを選択的に表示することができる。【００３９】
なお、予めユーザが必要としない配信情報のカテゴリーを選択しておき、図９に示されるカテゴリーリストを用いて、必要としないカテゴリーのＩＤを除外したものを表示するように構成しても良い。【００４０】
更に、カテゴリーとして、例えば、ユーザの性別、年齢、地域などの個人情報を登録してもよい。これにより、ユーザは自分の個人情報に対応した配信情報を表示、収集することが可能となる。この場合に、本実施形態では、個人情報を用いるのはクライアント３００側のみであり、サーバに個人情報を送る必要は無い。従って、個人情報を保護しつつ、個人情報に対応した情報を得ることが可能である。【００４１】
次に、受信している放送番組と関連している配信情報を表示する実施形態について説明する。この場合は、上述の実施形態と同様に、図９に示されるカテゴリーリストを利用し、図１０に示される処理を図５に追加した処理によって配信情報の表示処理が行われる。そして、図１２に示される処理を、図７のフローチャートのＳＴ７０３とＳＴ７０４の間に追加する。すなわち、現在時刻が属する時間帯の配信情報のＩＤを抽出した後（ＳＴ７０３）、インターネット又は放送波からＥＰＧ（Ｅｌｅｃｔｒｏｎｉｃ  Ｐｒｏｇｒａｍ  Ｇｕｉｄｅ）を取得し（ＳＴ１２０１）、そのＥＰＧに含まれている現在放送されている番組のカテゴリー情報を取得する（ＳＴ１２０２）。そしてカテゴリーリストを用いて、番組のカテゴリーと一致するカテゴリーに該当するＩＤのみを選択するフィルタリング処理を実施する（ＳＴ１２０３）。このような構成により、現在放送されている番組のカテゴリー情報に関連のある配信情報のみを表示することができる。【００４２】
なお、テレビ３１０は、家庭に設置される専用のテレビでも良いし、携帯電話で放送を受信できる機能を有しているものでも良い。また、テレビ放送受信用のチューナーを内蔵しているラップトップコンピュータでも良い。【００４３】
図１３は本発明の他の実施形態のクライアント３００側の構成を示す図である。クライアント３００側以外の部分については、図１に示される構成と同様である。【００４４】
クライアント３００側のテレビ３１０ａは、受信回路３１１、表示回路３１２及びモニタ３１３に電源を供給する電源部３１６を有している。更に電源部３１６からの電力はコネクタ３１７を介して外部に供給されるようになっている。【００４５】
３２０ａは、配信情報表示装置であり、コネクタ３２９を介してテレビ３１０ａ側から電力が供給される。供給された電力は、電源部３２８で安定化され、配信情報表示装置の各部に供給される。【００４６】
ＲＳＳマネージャ３２１ａは、ＲＳＳマネージャ３２１と同様の動作をするが、外部から電源が供給されると図５、１０、１２のみならず、図７、図１１に示される動作が実行される。配信情報表示装置３２０ａは、ＲＳＳマネージャ３２１ａ及びウェブブラウザ３２３により取得された画像情報を表示するためのディスプレイ３２７と、このディスプレイ３２７を駆動し、表示処理を行う表示部３２６とを更に備える。ディスプレイ３２７は、例えば、ＬＣＤ（Ｌｉｑｕｉｄ  Ｃｒｙｓｔａｌ  Ｄｉｓｐｌａｙ）などが用いられる。【００４７】
図１３に示される配信情報表示装置３２０ａは、テレビ３１０ａ側の電源が投入されると、上述した配信用アイテムリストの取得、表示用リストの生成、カテゴリーリストの生成等の処理をするともに、内蔵のディスプレイ３２７に配信情報を表示すべく、画面表示処理を行う。【００４８】
図１４は、テレビ３１０ａの横に配信情報表示装置３２０ａを設置した場合の画面の様子を示す図である。図８に示される場合と異なり、１画面ではないが、テレビ３１０ａの近傍に設置することによりモニタ３１３に映る放送番組を見ながら配信情報をディスプレイ３２７で確認することが可能である。【００４９】
なお、図１３に示される配信情報表示装置３２０ａでは、テレビ３１０ａから供給される電源を供給する構成として、電源が供給されたことを検出して配信情報表示装置３２０ａが動作を開始するようにしているが、別々に電源が供給されるようにして、テレビ３１０ａの電源がオンになったことを示す信号を配信情報表示装置３２０ａに送出するようにしてもよい。更に、テレビ３１０ａの電源のオンと連動して動作するようにせず、別のスイッチ等により動作を独立して開始するようにしても良い。【００５０】
また、図１３、図１４に示される実施形態では、テレビ３１０ａに配信情報表示装置を付加するようにしているが、テレビに限らず、ユーザが表示画面を見るような機器であれば良い。例えば、ラジオやコンピュータ画面に付加して使うことも可能である。また、アーケードケーム機の横に設置することも有効である。【００５１】
図１５は、本発明の更に他の実施形態である配信情報表示機能付きリモコン装置の外観を示す図である。図１５に示されるように、この実施形態の情報表示機能付きリモコン装置５００は、配信情報表示用の画面５１０を有し、電源スイッチ５２０の押下によりテレビ側がオンになったことを認識し、テレビとの通信により配信情報を情報表示機能付きリモコン装置５００の画面５１０に表示する構成であってもよい。【００５２】
なお、無線ＬＡＮ（Ｌｏｃａｌ  Ａｒｅａ  Ｎｅｔｗｏｒｋ）による通信手段を配信情報表示装置３２０ａ及びテレビ３１０ａが有していて、配信情報表示装置３２０ａが無線ＬＡＮを介してテレビ３１０ａの電源のオンを検出するようにしても良い。同様に、配信情報表示機能付きリモコン装置５００及びコントロールされるテレビが無線ＬＡＮによる通信手段を有していて、情報表示機能付きリモコン装置５００には、無線ＬＡＮを介して配信情報が転送されるようにしても良い。【００５３】
また、上述した実施形態では、図９に示されるカテゴリーリストを用いて、図７、図１０、図１１、図１２に示されるように、カテゴリーによるフィルタリング処理と表示リストによる配信情報の表示時間帯の処理を両方行っているが、カテゴリーリストによるフィルタリング処理のみをして配信情報を画面に表示し、或いは、配信情報を格納するようにしても良い。【００５４】
更に、上述した実施形態では、カテゴリーについてフィルタリング処理をしたが、キーワードについても同様にフィルタリング処理をするようにしても良い。【００５５】
また、配信用のアイテムリストに位置を示す情報を付加し、サービスを提供している場所などを示すようにしても良い。例えば、車の試乗会等のイベントをいつどこで行うかを情報として配信し、この情報を表示するとともに付加された位置情報に基づいて地図上にそのイベントが開催される位置を示すようにすることもできる。【００５６】
更に、特定時間枠（例えば、真夜中の一時間）のみはプライベート用フィードを配信するようにしても良い。受け取る側は、配信者が任意に決めるパスワードを知っていて、クライアントに登録しておくとパスワードに一致する情報のみを取得する。例えば、ＳＮＳ（Ｓｏｃｉａｌ  Ｎｅｔｗｏｒｋ  Ｓｅｒｖｉｃｅ）のような枠組みで仲間内のみに対しての情報発信をする場合に有効である。なお、この場合には、テレビ３１０、３１０ａの代わりに携帯情報端末とするのが望ましい。【００５７】
なお、「属性情報」としては配信情報を表示する時間帯を示す情報である「View Time」の情報が含まれる。また、表示リストを生成するためにはこの配信情報の属性情報の１つのである「View Time」等の表示時間帯を示す情報が必要となる。更に、「特定情報」としては、配信情報のＩＤ、配信情報が格納されているＵＲＬ、配信情報そのものが含まれる。本発明の実施形態においては、表示リストがクライアント側で作られるため、クライアント側の状況に適応して配信情報を効果的に表示すことが可能である。「クライアント端末」としては、テレビ、ラジオ、コンピュータなどの機器が対応する。【００５８】
また、「所定項目の属性情報」としては、その情報のカテゴリー、キーワードなどが含まれる。また、属性リストにより情報の検索に用いれば、所望の配信情報を簡単に検索することが可能である。なお、本発明の実施形態においては、所定項目の属性情報として個人情報を入力してもクライアント端末の中でのみ使用されるので高い情報セキュリティを得ることができる。【００５９】
本発明のいくつかの実施形態において、サーバは情報配信用サーバであり、アイテムリストは特定情報として配信情報の少なくとも一部を含むように構成されていてもよい。このような構成により、クライアントが属性情報と関連付けられた配信情報を簡単なプロセスで取得することができる。【００６０】
また、本発明の実施形態において、サーバの提供するアイテムリストに含まれる特定情報の少なくとも一部は対応する配信情報の少なくとも一部が保存されている場所を示すロケーション情報であり、配信情報取得手段はロケーション情報の示す場所にアクセスして対応する配信情報の少なくとも一部を取得するように構成されていてもよい。このような構成にすることにより、アイテムリストのデータ量を減らすことができる。また、アイテムリストを提供するサーバ以外のリソースが提供するデータを利用して配信情報を構成することが可能になる。【００６１】
任意選択的に、配信情報は異なる場所に保存されている複数の情報からなり、特定情報は複数の情報の保存されている場所をそれぞれ示す複数のロケーション情報を含んでいてもよい。このような構成により、複数の情報源が提供する情報を統合して配信情報を構成することが可能になる。【００６２】
代替的に、配信情報は単一のロケーション情報によって特定される一つ以上の情報からなるものであってもよい。このように同じ「ＩＤ」の配信情報を同じ場所に集約し、単一のロケーション情報で管理することにより、クライアントによる配信情報を取得するプロセスを簡素化できる。また、アイテムリストのデータ量も小さくなる。【００６３】
また、本発明の実施形態において、クライアント端末は、アイテムリスト取得手段によって取得されたアイテムリストから配信情報の所定項目の属性情報と配信情報を特定する特定情報とが対応付けられた属性リストを生成する属性リスト生成手段と、クライアント端末のユーザが属性情報を指定するための属性情報指定手段と、属性リスト生成手段によって生成された属性リストに基づいて、属性情報指定手段によってユーザが指定した属性情報と対応付けられている特定情報を選択する選択手段とを更に有し、表示リスト生成手段は、アイテムリスト取得手段によって取得されたアイテムリストから配信情報を表示する時間帯と、時間帯に表示すべき配信情報の特定情報であって選択手段によって選択された特定情報とが対応付けられた表示リストとを生成するように構成されてもよい。【００６４】
また、本発明の実施形態において、クライアント端末は放送番組を受信する放送番組受信手段を有してもよい。【００６５】
また、本発明の実施形態において、クライアント端末は、放送番組を受信する放送番組受信手段と、放送番組の属性情報を取得する番組属性情報取得手段と、アイテムリスト取得手段によって取得されたアイテムリストから配信情報の所定項目の属性情報と配信情報を特定する特定情報とが対応付けられた属性リストを生成する属性リスト生成手段と、属性リスト生成手段によって生成された属性リストに基づいて、番組属性情報取得手段によって取得された属性情報と対応付けられている特定情報を選択する選択手段とを有し、表示リスト生成手段は、アイテムリスト取得手段によって取得されたアイテムリストから配信情報を表示する時間帯と時間帯に表示すべき選択手段によって選択された特定情報とが対応付けられた表示リストを生成するように構成されてもよい。【００６６】
また、本発明の実施形態において、クライアント端末は、アイテムリスト取得手段はウェブサイトの要約情報を配信するフォーマットでアイテムリスト格納手段からアイテムリストを取得するように構成されてもよい。要約情報を配信するフォーマットとしては、ＲＳＳ（ＲＤＦ（Ｒｅｓｏｕｒｃｅ  Ｄｅｓｃｒｉｐｔｉｏｎ  Ｆｒａｍｅｗｏｒｋ）  Ｓｉｔｅ  Ｓｕｍｍａｒｙ）などが用いられる。【００６７】
また、本発明の実施形態において、情報配信表示システムは、クライアント端末に対し配信する情報を提供する情報提供者端末を有し、情報配信サーバは、情報提供者端末から提供される情報の受信処理を行う情報受信手段と、情報受信手段から受信した情報に基づいてアイテムリストを生成するように構成されてもよい。【００６８】
また、本発明の実施形態において、配信情報は、主要コンテンツが表示される領域の近傍領域に表示されるように構成されてもよい。このため、主要コンテンツを閲覧しているときに有効に配信情報がユーザに伝達される。【００６９】
また、本発明の実施形態おいて、配信情報はアイコンとして表示されてもよい。アイコンとして表示されることで文字だけの情報に比べより感覚的にかつ瞬時に情報の内容を知ることができる。【００７０】
また、本発明の実施形態によるクライアント端末は、アイテムリスト取得手段によって取得されたアイテムリストから配信情報の所定項目の属性情報と配信情報を特定する特定情報とが関連付けられた属性リストを生成する属性リスト生成手段と、クライアント端末のユーザが属性情報を指定する属性情報指定手段と、属性リスト生成手段によって生成された属性リストに基づいて、属性指定手段によってユーザが指定した属性情報と関連付けられている特定情報を選択する選択手段とを更に有し、表示リスト生成手段は、アイテムリスト取得手段によって取得されたアイテムリストから配信情報を表示する時間帯と時間帯に表示すべき配信情報の特定情報であって、かつ、選択手段によって選択された特定情報とが対応付けられた表示リストを生成するように構成されてもよい。【００７１】
また、本発明の実施形態によるクライアント端末は、放送番組を受信する受信手段を有してもよい。【００７２】
また、本発明の実施形態によるクライアント端末は、放送番組を受信する放送番組受信手段と、放送番組の属性情報を取得する番組属性情報取得手段と、アイテムリスト取得手段によって取得されたアイテムリストから配信情報の所定項目の属性情報と配信情報を特定する特定情報とが対応付けられた属性リストを生成する属性リスト生成手段と、属性リスト生成手段によって生成された属性リストに基づいて、番組属性情報取得手段によって取得された属性情報と対応付けられている特定情報を選択する選択手段とを有し、表示リスト生成手段は、アイテムリスト取得手段によって取得されたアイテムリストから配信情報を表示する時間帯と時間帯に表示すべき選択手段によって選択された特定情報とが関連付けられた表示リストを生成するように構成されてもよい。【００７３】
また、本発明の実施形態によるクライアント端末は、アイテムリスト取得手段はウェブサイトの要約情報を配信するフォーマットでアイテムリスト格納手段からアイテムリストを取得するように構成されてもよい。【００７４】
また、本発明の実施形態によるクライアント端末は、更に配信情報表示データ生成手段によって生成された配信情報表示データに基づいて配信情報を表示する配信情報表示手段を備えてもよい。【００７５】
また、本発明の実施形態によるクライアント端末では、主要コンテンツが表示される領域の近傍に配信情報が表示されてもよい。このため、主要コンテンツを閲覧しているときに有効に配信情報がユーザに伝達される。【００７６】
また、本発明の実施形態によるクライアント端末では、配信情報は、アイコンとして表示されてもよい。【００７７】
上述したように、本発明の実施形態によれば、表示リストがクライアント側で作られるため、クライアント側の状況に適応して配信情報を効果的に表示すことが可能である。また、所定項目の属性情報として個人情報を用いる場合には、個人情報はクライアント側でのみ使用されるので、高いセキュリティを保つことができる。また、カテゴリー、キーワードなどを所定項目の属性情報とすれば、情報の検索も容易である。【００７８】
上述した本発明の実施形態により、放送番組の視聴者の状況に応じて有効に情報を提供できる情報配信表示システムを提供することができる。【００７９】
また、本発明の実施形態により、クライアント端末が表示するための配信情報を情報提供者端末からサーバが受信してクライアント端末に配信するためにサーバが実行する方法であって、情報提供者端末から配信情報を受信する処理と、受信した配信情報を格納する処理と、格納された配信情報を特定する特定情報と配信情報の属性情報とが対応付けられたアイテムリストを生成して格納する処理と、所定の条件が満たされたときに格納されたアイテムリストを更新する処理と、クライアント端末にアイテムリストを提供する処理と、クライアント端末に配信情報を配信する処理とからなる方法も提供される。【００８０】
任意選択的に、所定の条件は、アイテムリストを前回更新した時刻から所定の時間（例えば１５分間）が経過することであってもよい。【００８１】
代替的に、所定の条件は、情報提供者端末から配信情報を受信する処理を行うことであってもよい。【００８２】
また、本発明の実施形態により、上述の方法をコンピュータに実行させるように構成されたコンピュータプログラム及びそれを格納したコンピュータが読取可能な記録媒体も提供される。【００８３】
また、本発明の実施形態により、サーバから配信される配信情報を取得して表示するクライアント端末としてコンピュータを機能させるコンピュータプログラムであって、サーバからアイテムリストを取得して格納する処理と、アイテムリストを前回に取得した時刻から所定の時間が経過したらサーバからアイテムリストを取得して格納する処理と、取得されたアイテムリストから、配信情報を表示する時間帯とその時間帯に表示すべき配信情報を特定する特定情報と配信情報の優先順位とが対応付けられた表示リストを生成する処理と、既に保存されている表示リストを読み出して新たに生成された表示リストと結合して格納する処理と、前回に表示を更新してから第２の所定の時間が経過したら、現在時刻が属する時間帯に対応付けられた特定情報を表示リストから抽出する処理と、抽出された特定情報に対応付けられた配信情報を取得する処理と、取得された配信情報を対応する優先順位に基づいた表示画面中の位置に表示する処理とからなる方法をクライアント端末に実行させるコンピュータプログラム及びそれを格納したコンピュータが読取可能な記録媒体も提供される。【００８４】
また、本発明の実施形態により、サーバから配信される配信情報をクライアント端末が取得して表示するためにクライアント端末が実行する方法であって、サーバからアイテムリストを取得して格納する処理と、取得されたアイテムリストに基づいて、配信情報を表示する時間帯と時間帯に表示すべき配信情報を特定する特定情報と配信情報の優先順位とが対応付けられた表示リストを生成する処理と、現在時刻が属する時間帯に対応付けられた特定情報を表示リストから抽出する処理と、抽出された特定情報に対応付けられた配信情報を取得する処理と、取得された配信情報を画面表示する処理とからなる方法も提供される。【００８５】
サーバからアイテムリストを取得して格納する処理は、アイテムリストを前回に取得した時刻から第１の所定の時間（例えば１時間）が経過したときに、サーバからアイテムリストを取得して格納する処理を含んでいてもよい。【００８６】
特定情報を表示リストから抽出する処理は、前回に表示を更新してから第２の所定の時間（例えば３０秒）が経過したときに現在時刻が属する時間帯に対応付けられた特定情報を表示リストから抽出する処理を含んでいてもよい。【００８７】
また、既に格納されている表示リストがあれば該表示リストを読み出して、新たに生成された表示リストと結合して格納する処理を更に含んでいてもよい。【００８８】
取得された配信情報を画面表示する処理は、配信情報に対応する優先順位に基づいた表示画面中の位置に配信情報を表示する処理を含んでいてもよい。
【図１】
2007123063.tif 000003
【図２】
2007123063.tif 000004
【図３】
2007123063.tif 000005
【図４】
2007123063.tif 000006
【図５】
2007123063.tif 000007
【図６】
2007123063.tif 000008
【図７】
2007123063.tif 000009
【図８】
2007123063.tif 000010
【図９】
2007123063.tif 000011
【図１０】
2007123063.tif 000012
【図１１】
2007123063.tif 000013
【図１２】
2007123063.tif 000014
【図１３】
2007123063.tif 000015
【図１４】
2007123063.tif 000016
【図１５】
2007123063.tif 000017
【国際調査報告】
2007123063.tif 000018
2007123063.tif 000019
2007123063.tif 000020
2007123063.tif 000021